(57)【要約】【課題】ディスポーザへの自動給水と排水管の洗浄処理を効果的に行う。【解決手段】ディスポーザ３０の給水口４２と排出口３４および排水管３６との間に給水口と排水管との何れにも水道水を給水できる導水管４０を設ける。粉砕モードの期間中給水を行うと共に、粉砕モード終了直前から洗浄モードを実行する。粉砕処理の継続中にジェット水流が連結管に流れ込む（噴射される）ことになる。ディスポーザからの排出水流とジェット水流の協働で連結管３８下方への吸引作用が増強され、ジェット水流が流れていないときよりも粉砕厨芥物のディスポーザからの排出力が増し、より素早く、しかも効率よく、厨芥物を排水管側に送り出すことができる。粉砕厨芥物がディスポーザ内に残滓しにくいので、ジェット水流の噴射によって排水管内を確実に洗浄できる。排水トラップ管に粉砕厨芥物が残留し、これによる悪臭が発生するようなこともなくなる。【選択図】        図１
2006016830.tif 000002
【特許請求の範囲】
【請求項１】
その上部側に給水口が、その下部側に粉砕された厨芥物を排出する排出口が設けられたディスポーザと、
その上部に連結分岐部を有する、上記排出口に連結された排水管と、
上記連結分岐部に連結される第１の導水枝管と、上記給水口に連結される第２の導水枝管とを有する上水道の導水管と、
この導水管に設けられた導水切替手段とで構成され、
厨芥粉砕時は上記給水口より上記ディスポーザ内に給水が行われると共に、上記第１の導水枝管を介して上記排水管に洗浄水が供給される
ことを特徴とする排水管洗浄装置。
【請求項２】
上記第１の導水枝管は噴射ノズルとなされた
ことを特徴とする請求項１記載の排水管洗浄装置。
【請求項３】
上記導水管と上水道管との間に負圧破壊装置が設けられた
ことを特徴とする請求項１記載の排水管洗浄装置。
【請求項４】
上記負圧破壊装置は、大気圧バキュームブレーカである
ことを特徴とする請求項３記載の排水管洗浄装置。
【請求項５】
上記負圧破壊装置と上記上水道管との間に上水用の電磁開閉弁が設けられ、
上記導水管への導水時のみ上記上水用電磁開閉弁が開かれる
ことを特徴とする請求項１記載の排水管洗浄装置。
【請求項６】
上記ディスポーザへの給水終了後上記第１の導水枝管を通して上記排水管の洗浄処理が行われる
ことを特徴とする請求項１記載の排水管洗浄装置。
【請求項７】
上記厨芥粉砕中から上記排水管の洗浄期間の間、上記ディスポーザに対して上記給水口からの給水が行われる
ことを特徴とする請求項１記載の排水管洗浄装置。
【請求項８】
上記厨芥粉砕の終了間近から上記第１の導水枝管を介して上記排水管に対する洗浄処理が行われる
ことを特徴とする請求項１記載の排水管洗浄装置。
【請求項９】
上記厨芥粉砕処理とは独立して上記第１の導水枝管を介して上記排水管の洗浄処理が行われる
ことを特徴とする請求項１記載の排水管洗浄装置。
【発明の詳細な説明】
【技術分野】
【０００１】
この発明は排水管洗浄装置に関する。詳しくは、業務用厨房施設や家庭内台所などに設置されている排水管に滞留しがちな厨芥物などを効率よく排出して、排水管を洗浄できる排水管洗浄装置に関する。
【背景技術】
【０００２】
厨房施設や台所に設置されるディスポーザは、流し台（シンク）の排水口に設置され、生ゴミを粉砕すると共に、粉砕した厨芥物を水道水を媒体として排水管側に移送し、排出する装置である。
【０００３】
この排水口と排水管側との間には、通常排水管側からの雑排水などが逆流しないように例えばＵ字状をなす排水トラップ管が連結されている。ディスポーザを使用しているときには粉砕した厨芥物を水道水と共に洗い流すようにしているので、通常の粉砕処理の場合には排水トラップ管に厨芥物が滞留することはないが、水量が足りなかったりすることで、粉砕厨芥物を排水管へ完全に送り出すことができなくなり、時として厨芥物の一部（卵殻、貝殻、骨粉などのように比重の大きな厨芥物）がこの排水トラップ管の一部に残留（滞留）し、これが原因で厨芥物が排水トラップ管内に次々と残留するおそれがある。
【０００４】
このように排水管に粉砕厨芥物が長時間に亘り滞留して堆積するようなことになると、粉砕厨芥物からの悪臭がディスポーザを伝わって室内に漏れてきたり、排水管が詰まってしまったりすることがある。この問題を解決するには、排水管を常に洗浄して特に排水トラップ管に厨芥物が滞留しないようにしなければならない。
【０００５】
充分な排水量を確保するため、ディスポーザの駆動時自動給水を行ったり、この自動給水と共に排水管を完全に洗浄するため、従来ではシンク近くに洗浄手段を装備したり（例えば特許文献１）、あるいは貯水タンクの水を利用して排水管を洗浄するような工夫がなされている（例えば特許文献２）。
【０００６】
【特許文献１】特開平２００１−２００５６４号公報
【特許文献２】特開平２００２−８８８５８号公報
【発明の開示】
【発明が解決しようとする課題】
【０００７】
ところで、特許文献１に開示された洗浄装置は、微生物浄化槽に影響を与えない特定のパイプ洗浄液を用意し、このパイプ洗浄液を適宜なタイミングに排水管に流し込むことで排水管の洗浄処理を行い、粉砕厨芥物が多少滞留したとしても悪臭が発生しないようにしたものである。
【０００８】
したがってこの洗浄装置では、常に特殊な洗浄液を用意しておかなければならないことと、洗浄液は消耗品なのでランニングコストやメンテナンス費用が嵩むといった問題を惹起している。
【０００９】
他方、特許文献２に開示された洗浄装置は、雨水や浴湯などを利用した貯水タンクを設置し、その中にポンプを置き、ポンプからの出水管を排水管に連結した構成となされている。排水管を洗浄するときはポンプを駆動して貯水ポンプ内の水を排水管に流すようにしている。
【００１０】
しかし、この洗浄装置では、装置が大掛かりで、充分な設置面積を確保しなければならない反面、水中ポンプなどを利用するためランニングコストや、水中ポンプの保守点検処理などが必要になるなどの問題が山積している。
【００１１】
そこで、この発明はこのような従来の課題を解決したものであって、特に粉砕厨芥物の排出効果を高めた排水管洗浄装置を提案するものである。
【課題を解決するための手段】
【００１２】
上述の課題を解決するため、請求項１に記載したこの発明に係る排水管洗浄装置は、その上部側に給水口が、その下部側に粉砕された厨芥を排出する排出口が設けられたディスポーザと、
その上部に連結分岐部を有する、上記排出口に連結された排水管と、
上記連結分岐部に連結される第１の導水枝管と、上記給水口に連結される第２の導水枝管とを有する上水道の導水管と、
この導水管に設けられた導水切替手段とで構成され、
厨芥粉砕時は上記給水口より上記ディスポーザ内に給水が行われると共に、上記第１の導水枝管を介して上記排水管に洗浄水が供給されることを特徴とする。
【００１３】
この発明では、ディスポーザに排出口の他に給水口を設ける。排出口には排水管が連結される。この排出口と排水管との間に連結分岐管を備えた連結管が連結される。給水口と連結管との間に導水管が連結される。導水管には導水用切替電磁弁が設けられ、給水路（管路）の切り替えが行われる。連結管側に連結される第１の導水枝管内には噴射ノズルが設けられている。導水管と上水道用の分岐管との間には、上水用開閉電磁弁（電磁開閉弁）と負圧破壊装置である大気圧バキュームブレーカが接続される。
【００１４】
粉砕処理モードは、ディスポーザ内に投入された生ゴミなどを粉砕して排水管側に排出する粉砕モードと、粉砕モードの終了直後若しくは粉砕モードの終了直前から実施される洗浄モードとがある。洗浄モードは排水管に対する洗浄処理である。粉砕処理モードにおけるディスポーザに対する給水は自動給水である。
【００１５】
粉砕モード中はディスポーザに対して給水を停止し、洗浄モードのときにディスポーザに給水しながら、排水管を洗浄することも考えられるが、実施例では粉砕モードのときにディスポーザに自動給水する例である。
粉砕モードの期間中給水を行うと共に、粉砕モード終了直前から洗浄モードを実行する例を説明すると、この場合には粉砕処理がまだ継続しているときに、ジェット水流が連結管に流れ込む（噴射される）ことになる。そうすると、ディスポーザからの排出水流とジェット水流の協働によって、連結管下方への吸引作用（厨芥物に対する吸引力）が増強されるため、ジェット水流が流れていないときよりも粉砕厨芥物のディスポーザからの排出力が増す。結果として、より素早く、しかも効率よく、ディスポーザで粉砕された排出口付近の厨芥物を排水管側に送り出すことができる。
【００１６】
これによって、粉砕厨芥物がディスポーザ内に残滓することもなくなると共に、ジェット水流の噴射によって排水管内を確実に洗浄できる。したがって、排水管に接続されたＵ字状をなす排水トラップ管に粉砕厨芥物が残留し、これによる悪臭が発生するようなこともなくなる。
【００１７】
上水道の水道管と導水管との間には、水道水に対する上水用開閉電磁弁の他に大気圧バキュームブレーカが接続されている。排水管側から雑排水が逆流したときは、この大気圧バキュームブレーカが作動して導水管側と水道管側との間を遮断するので、水道管側に雑排水が逆流することはない。
【発明の効果】
【００１８】
この発明では、ディスポーザの給水口と排出口および排水管との間に、給水口と排水管との何れにも水道水を給水できる導水管を設けたものである。これによれば、導水管からの給水を制御することで、ディスポーザに対する自動給水を実現できることに加え、排水管の洗浄を行うことができる。自動給水であるために、粉砕し排出するに充分な水量を供給できるので、ディスポーザ内に粉砕した厨芥物を確実にディスポーザ外に排出できる。したがって手動給水よりも確実な水量供給による粉砕処理を実現できる。そして、排水管にＵ字状の排水トラップ管などが接続されている場合でも、排水管全体を洗浄することができ、排水トラップ管に残留しがちな粉砕厨芥物を確実に排出できる。その結果、悪臭の原因を確実に除去できるから、快適な生活環境を実現できる特徴を有する。
【００１９】
洗浄液や貯水タンクなども必要なくなるため、ランニングコストが殆ど不要になると共に、設備費などを廉価に抑えることができる。
【００２０】
また、導水管と上水道の水道管との間には導水管側への開栓を制御する上水用開閉電磁弁の他に負圧破壊装置を介在させる構成を採用した場合には、排水管側から雑排水が逆流したときでも、この負圧破壊装置が作動して導水管側と水道管側との間を素早く遮断するので、水道管側への雑排水の逆流を確実に阻止することができる。
【発明を実施するための最良の形態】
【００２１】
続いて、この発明に係る排水管洗浄装置の好ましい実施例を図面を参照して詳細に説明する。
【実施例１】
【００２２】
図１はこの発明に係る排水管洗浄装置１０の要部の概念図で、家庭用台所に接続された排水管を洗浄する場合に適用したものである。
【００２３】
この排水管洗浄装置は屋内まで配管された上水用の水道管１２が台所に設置された止水栓１４まで導かれ、止水栓１４によって蛇口１６からの水量の調節が行われる。
【００２４】
シンク（流し台）２０の下面にはその排水口２２に連結されたディスポーザ３０が設置されている。ディスポーザ３０に用いられる粉砕部３２の機構としてはハンマーミル方式のものや、回転歯を使用したいわゆるグラインダー方式の機構部などを採用できる。図１には、グラインダー方式の粉砕部３２が例示されている。
【００２５】
ディスポーザ３０の本体下部側に設けられた排出口３４には排水管３６が連結され、この排出口３４を介して粉砕された生ゴミなどの厨芥物が、下水道に連結された排水管３６側に移送されて排出される。図１では、排水管３６はその本管３６Ａと、本管３６Ａと排出口３４との間に連結された排水トラップ管３６Ｂとで構成された場合を示す。
【００２６】
この実施例では、ディスポーザ３０の本体上部側に給水口４２が設けられ、この給水口４２と排出口３４との間に連結分岐部３８を介して導水管４０が連結される。
【００２７】
連結分岐部３８は排出口３４と排水トラップ管３６Ｂとを連結するために設けられたものであって、この連結分岐部３８にはさらにその鉛直方向に延びる連結部３８ａを有する。
【００２８】
一方、導水管４０は図示するように連結分岐部３８の連結部３８ａに連結される第１の導水枝管４０ａと、上述した給水口４２に連結される第２の導水枝管４０ｂとを有するＴ字状をなす導水管であって、さらに水道管１２側と連結される注水枝管（第３の導水枝管）４０ｃが設けられている。導水管４０には、ここに供給された水道水が給水口４２側か、連結分岐部３８側かに切り替えるため、導水切替手段として機能する導水用切替電磁弁４４が設けられている。第１の導水枝管４０ａの内部には噴射ノズル（図１には示されていない）が取り付けられているが、その詳細は後述する。
【００２９】
注水枝管４０ｃは水道管１２に連結される。この実施例ではこの注水枝管４０ｃと水道管１２との間に、上水用開閉電磁弁５０を介して負圧破壊装置５２が連結されている。水道管１２より分岐した分岐管１３側に水道水を制御するための上水用開閉電磁弁５０が設けられると共に、この上水用開閉電磁弁５０と注水枝管４０ｃとの間に上述した負圧破壊装置５２が設けられている。
【００３０】
負圧破壊装置５２は排水管３６側からの逆流水を水道管１２側に流入しないように阻止（遮断）するための装置であって、負圧破壊装置５２としてこの例では周知の大気圧バキュームブレーカが使用されている。この大気圧バキュームブレーカ５２はシンク２０の溢れ面２０ａより所定の高さＨだけ離して取り付け固定される。通常この高さＨは１５０ｍｍ以上に設定されている。
【００３１】
このような位置に負圧破壊装置である大気圧バキュームブレーカ５２を設置すれば、たとえ排水管３６側から雑排水が逆流したとしても大気圧バキュームブレーカ５２によって連結管５３側が大気圧に開放されて、内部のスイング弁（図示はしない）が自動的に閉じられる。その結果、連結管５３側からの逆流が阻止されて分岐管１３側には雑排水が流入しなくなるからである。
【００３２】
上述したディスポーザ３０を始めとして、このディスポーザ３０に関連する導水用切替電磁弁４４および上水用開閉電磁弁５０は何れも制御装置６０によってその動作状態が制御される。制御装置６０はマイコンなどで構成されたもので、その操作スイッチ（電源スイッチ）は台所に設置されたスイッチ操作盤５４に設けられている。
【００３３】
図２はこのスイッチ操作盤５４の概要を示すもので、操作スイッチ５４ａの回転位置によってこの例では粉砕モードと、排水管洗浄モードの２種類に切替できるようになっている。
【００３４】
粉砕モードとは、ディスポーザ３０を用いて生ゴミなどを粉砕し、粉砕厨芥物は排出口３４を介して排水管３６側に移送するモードである。これに対して、排水管洗浄モードは排水管３６の洗浄処理を行うモードであって、第１の導水枝管４０ａを介して排水管３６側に水道水をジェット噴射することで、排水管３６の管内を洗浄するものである。したがってこの場合の洗浄は、どちらかと言えば排水トラップ管３６Ｂ内の滞留物（残留物）を強制的に排水本管３６Ａ側に排出するための洗浄モードである。
【００３５】
上述した第１の導水枝管４０ａ内には図３に示すような噴射ノズル７０が取り付けられている。噴射ノズル７０としては直射式ジェットノズル、ニードルノズル、コーンパターンノズル、ロータリージェットノズルなどを利用できる。
図３では説明の便宜上直射式ジェットノズルを使用した場合である。そのため、第１の導水枝管４０ａには連結管６８が取り付けられ、連結管６８の先端部が連結部３８ａに連結されると共に、連結管６８の内部に直射式のノズルヘッド７２が位置する。
【００３６】
ノズルヘッド７２は連結部３８ａ側を向くように取り付けられているが、ヘッド先端部が排水トラップ管３６Ｂの底部の外側内壁面３６Ｂａを向くように鉛直方向に対してθだけ僅かに傾斜した状態で取り付けられている。こうすると、ノズルヘッド７２からの噴射流（ジェット水流）が排水トラップ管３６Ｂにおける底部近傍の外側内壁面３６Ｂａに向けて噴射される。この噴射によって排水トラップ管３６Ｂに滞留している残留物はもちろんのこと、排水トラップ管３６Ｂの内壁面に付着した残留物を確実に剥離除去でき、さらにはこのように排水トラップ管３６Ｂの内壁面にジェット水流を噴射すると、このジェット水流が内壁面に沿って渦を巻きながら流下するようになるので、残留物の剥離除去効果がより大きくなる。
【００３７】
なお、図３において、３７ａ、３７ｂは連結管３８と排水トラップ管３６Ｂおよびこの排水トラップ管３６Ｂと本管３６Ａをそれぞれ連結する、その内部にネジが切られた連結子管である。
【００３８】
さて、このように構成された排水管洗浄装置１０の洗浄処理（第１の洗浄処理）を、ディスポーザ３０の粉砕厨芥処理と共に説明する。この例は、図４に示すトータルの粉砕処理モード時間をＴとしたとき、実際に粉砕処理する時間（粉砕時間）がＴａで、その残りの期間Ｔｂが洗浄時間となる。
【００３９】
粉砕時間Ｔａは通常３０秒程度で充分であり、洗浄時間Ｔｂも１０秒程度に設定すれば充分であるので、この例ではトータルの粉砕処理モード時間Ｔを４０秒に設定してある。この時間配分はどのようにでも変更することができる。時間Ｔ、ＴａおよびＴｂの変更は、排水管洗浄装置１０の取り付け時に、制御装置６０に設けられたプリセット端子６０ａ（図１参照）を使用して行うことができる。スイッチ操作盤５４にプリセット値を変更できるようなプリセット端子を設けておくことも可能である。そうすれば、生ゴミの内容物によって粉砕時間等を最適な時間となるように適宜設定できるからである。
【００４０】
また、第１の洗浄処理モードは、粉砕時間Ｔａの期間だけディスポーザ３０に自動給水を行い、粉砕終了後の洗浄時間Ｔｂの期間、排水管３６の洗浄処理を行うようにした例である。したがってこの場合には、粉砕期間中は止水栓１４は開栓する必要はない。
【００４１】
図４を参照して説明すると、まず操作スイッチ５４ａを用いて粉砕モードに切り替えると、スイッチオン状態となり（図４Ａ）、これで上水用開閉電磁弁５０が動作して分岐管１３を開放する。この上水用開閉電磁弁制御によって水道水が大気圧バキュームブレーカ５２を介して導水管４０に供給される。このとき導水用切替電磁弁４４も作動して第２の導水枝管４０ｂ側に弁が切り替えられて、ディスポーザ３０側に水道水が自動給水される（図４Ｄ）。
【００４２】
スイッチオンによってディスポーザ３０も駆動状態となるため、自動給水と同時にディスポーザ３０内に投入された生ゴミなどの粉砕処理が行われる（図４Ｃ）。粉砕時間Ｔａの経過によって粉砕処理が終了すると（図４Ｄ）、導水用切替電磁弁４４が作動して、導水方向が第２の導水枝管４０ｂ側から第１の導水枝管４０ａ側に切り替えられる。その結果、第１の導水枝管４０ａ側に設けられた噴射ノズル７０によってジェット水流が排水管３６に向けて噴射される（図４Ｅ）。
【００４３】
したがって、粉砕処理時に排水管３６にディスポーザ３０より排出された厨芥物はその殆どが排水管３６を通して下水管に流れ込むが、一部残滓した厨芥物（上述した比重の大きな厨芥物）があってもジェット水流による噴射によって、下水管側に排出できる。これによって厨芥部が残留したり、その残留による悪臭が発生するおそれはない。
【００４４】
なお、操作子５４ａを反対側（矢印ｂ側）に回すと排水管３６の洗浄モードとなる（図４Ｆ）。この場合には上水用開閉電磁弁５０による開栓と共に、導水用切替電磁弁４４が作動して第１の導水枝管４０ａ側が流路となるように切り替え制御される（図４Ｇ）。その結果、予め定められた時間Ｔｘだけジェット水流が排水管３６側に送り込まれ（図４Ｈ）、ジェット水流による洗浄が行われる。この洗浄モードを併設することによって、排水管３６の清潔度がより高まる。
この洗浄モードは粉砕処理モードとは関係なく起動できる。したがって粉砕処理モードの直後に行うこともできれば、粉砕処理モード前の適宜なタイミングに行うこともできる。
【実施例２】
【００４５】
第２の粉砕処理モードについて図５を参照して説明する。この実施例では粉砕処理モード期間Ｔの間、連続してディスポーザ３０に注水を行うようにしたもので、操作スイッチ５４ａがオンされると、まずディスポーザ３０が駆動されて粉砕モードとなる（図５Ａ，Ｂ，Ｃ）。この駆動と共に、上水用開閉電磁弁５０が開栓し、さらに導水用切替電磁弁４４が作動して第２の導水枝管４０ｂ側に切り替えられるため、給水口４２を介してディスポーザ３０に自動給水される（図５Ｄ）。
【００４６】
粉砕時間Ｔａが経過すると、その後洗浄モードに移るが（図５Ｅ）、この実施例では洗浄モードになってもディスポーザ３０への注水がそのまま実行されると共に、第１の導水枝管４０ａにも水道水が供給されるように、導水用切替電磁弁４４が制御される（図５Ｄ，Ｅ）。つまり、導水用切替電磁弁４４は半開状態となされて、第１の導水枝管４０ａと第２の導水枝管４０ｂのそれぞれに給水されるように制御される。
【００４７】
ディスポーザ３０に給水した状態では、その水道水はそのまま排出口３４から粉砕された厨芥物と共に排出されるが、連結管３８ａ側からジェット水流も連結管３８に流れ込む。この排出水流とジェット水流の協働によって、連結管３８への吸引作用が増強されるため、粉砕厨芥物のディスポーザ３０からの排出力が増し、より素早く、しかも効率よく、ディスポーザ３０に残滓した粉砕厨芥物（残りカス）を排水管３６側に送り出すことができる。
【実施例３】
【００４８】
図６に第３の粉砕処理モードの例を示す。この実施例では、粉砕モードの終了間際から洗浄モードを開始するようにした場合である。操作盤５４を操作して操作スイッチ５４ａがオンされると、まずディスポーザ３０が駆動されて粉砕モードとなる（図６Ａ，Ｂ，Ｃ）。この駆動と共に、上水用開閉電磁弁５０が開栓し、さらに導水用切替電磁弁４４が作動して第２の導水枝管４０ｂ側に開栓が切り替えられるため、給水口４２を介してディスポーザ３０に水道水が自動給水される（図５Ｄ）。
【００４９】
この例では、粉砕モードが終了する間際（図では、終了ΔＴ前）から、洗浄モードを始動させる（図５Ｄ、Ｅ）。したがって第２の導水枝管４０ｂへの給水を継続した状態で、第１の導水枝管４０ａにも水道水が供給されるように、導水用切替電磁弁４４が半開状態に制御される（図５Ｄ，Ｅ）。ΔＴの時間が経過すると、本来の粉砕モードが終了すると、導水管４０は第１の導水枝管４０ａ側に完全に切り替えられて本来の洗浄モードに遷移する。そして上述したと同様に排水管３６の洗浄処理が行われる。
【００５０】
このような給水状態となるように制御すると、粉砕処理がまだ継続しているときに、ジェット水流が連結管３８に流れ込む（噴射される）ことになる。そうすると、ディスポーザ３０からの排出水流とジェット水流の協働によって、連結管３８下方への吸引作用が増強されるため、ジェット水流が流れていないときよりも粉砕厨芥物のディスポーザ３０からの排出力が増す。結果として、より素早く、しかも効率よく、ディスポーザ３０で粉砕された排出口３４付近の厨芥物を排水管３６側に送り出すことができる。これによって、粉砕厨芥物がディスポーザ３０内に残滓することもなくなる。
【００５１】
どの程度前から洗浄モードを開始するかは任意に設定できるが、粉砕期間のほぼ１／３程度に設定すればよい。上述したように粉砕時間Ｔａが３０秒に設定されているときは、ΔＴとしては１０秒程度でよい。したがって、洗浄時間ＴｃはΔＴだけ伸び、粉砕期間中から洗浄処理が実行されるために、効果的に排水管３６を洗浄できることにもなる。
【産業上の利用可能性】
【００５２】
この発明では、家庭用台所や業務用厨房などに設置されたディスポーザに対する排水管洗浄装置に適用して好適である。
【図面の簡単な説明】
【００５３】
【図１】この発明に係る排水管洗浄装置の実施例を示す要部構成図である。
【図２】スイッチ操作盤の一例を示す平面図である。
【図３】排水管周辺部を示す要部断面図である。
【図４】粉砕処理モードを示すタイミングチャートである（その１）。
【図５】粉砕処理モードを示すタイミングチャートである（その２）。
【図６】粉砕処理モードを示すタイミングチャートである（その３）。
【符号の説明】
【００５４】
１０・・・排水管洗浄装置
１２・・・水道管
１４・・・止水栓
２０・・・シンク
３０・・・ディスポーザ
３４・・・排出口
３６・・・排水管
３６Ｂ・・・Ｕ字トラップ管
３８・・・連結管
４０・・・導水管
４０ａ、４０ｂ、４０ｃ・・・導水枝管
４４、５０・・・電磁弁
５２・・・負圧破壊装置
７０・・・噴射ノズル
７２・・・ノズルヘッド
【図１】
2006016830.tif 000003
【図２】
2006016830.tif 000004
【図３】
2006016830.tif 000005
【図４】
2006016830.tif 000006
【図５】
2006016830.tif 000007
【図６】
2006016830.tif 000008